(57)【要約】      （修正有）【課題】バスト部分からウエスト部分にかけての広い範囲を補正することができ、更に、体形補正用のインナーが目立つことのないキャミソールを提供する。【解決手段】キャミソール本体１の内側に、体形補正機能を備えたインナー２が配置してあるキャミソールであって、インナー２は、キャミソール本体１の素材生地に比べて低伸縮かつ高弾力のメッシュ生地を繋ぎ合わせて筒状に形成される。インナー２の前身頃の上半部は、着用者の左右の乳房部が収まる凹部１０を有し、該乳房部を左右および下側の三方から囲む横長のＵ字状に形成される。インナー２の下半部は、着用者のウエスト部分に圧接する。凹部１０の周縁を除くインナー２の上縁全体を、キャミソール本体１の上縁に沿って縫着することで、インナー２とキャミソール本体１とを一体化する。【選択図】図１
0003143212.tif 000002
【実用新案登録請求の範囲】
【請求項１】
キャミソール本体（１）の内側に、体形補正機能を備えたインナー（２）が配置してあるキャミソールであって、
インナー（２）は、キャミソール本体（１）の素材生地に比べて低伸縮かつ高弾力のメッシュ生地（８・９・１２）を繋ぎ合わせて筒状に形成されており、
インナー（２）の前身頃（７）の上半部は、着用者の左右の乳房部が収まる凹部（１０）を有し、該乳房部を左右および下側の三方から囲む横長のＵ字状に形成されており、
インナー（２）の下半部は、着用者のウエスト部分に圧接しており、
凹部（１０）の周縁（１０ａ）を除くインナー（２）の上縁全体を、キャミソール本体（１）の上縁（１ａ）に沿って縫着することで、インナー（２）とキャミソール本体（１）とが一体化してあることを特徴とするキャミソール。
【請求項２】
前身頃（７）の下端部に、メッシュ生地（９）が二重に積層された横長の二重領域（１５）が形成されており、
二重領域（１５）は、前身頃（７）を腰周り方向へ横断し、その上縁は突曲状に形成されており、
インナー（２）の二重領域（１５）を除く部分は、複数のメッシュ生地（８・１２）を左右に繋げて構成してある請求項１記載のキャミソール。
【考案の詳細な説明】
【技術分野】
【０００１】
本考案は、インナーウェアあるいはアウターウェアとして着用することができる、体形補正機能を備えたキャミソールに関する。
【背景技術】
【０００２】
この種のキャミソールは例えば特許文献１に公知である。そこでは、キャミソール本体の内側に、体形補正機能を備えた筒状のインナーが配置してある。インナーは、上縁部の左右２箇所をキャミソール本体に縫着することで、キャミソール本体と一体化してある。このキャミソールを着用すれば、インナーによりウエスト部分が押さえ込み補正されるので、体のラインをスッキリと見せることができる。
【０００３】
【特許文献１】登録実用新案第３１０６７３２号公報
【考案の開示】
【考案が解決しようとする課題】
【０００４】
しかし、特許文献１のキャミソールは、体形補正できる箇所がウエスト部分に限られており、その上方のバスト部分の体形補正を行うことはできない。また、インナーをキャミソール本体と一体化する際に、左右２箇所しか縫着を行わないことから、インナーがキャミソール本体に対してずれ動くおそれがある。
【０００５】
本考案は、上記のような従来のキャミソールが抱える課題を解決するためになされたものであり、バスト部分からウエスト部分にかけての広い範囲を補正することができ、更に、体形補正用のインナーが目立つことのないキャミソールを得ることを目的とする。
【課題を解決するための手段】
【０００６】
本考案は、キャミソール本体１の内側に、体形補正機能を備えたインナー２が配置してあるキャミソールを対象とする。インナー２は、キャミソール本体１の素材生地に比べて低伸縮かつ高弾力のメッシュ生地８・９・１２を繋ぎ合わせて筒状に形成される。インナー２の前身頃７の上半部は、着用者の左右の乳房部が収まる凹部１０を有し、該乳房部を左右および下側の三方から囲む横長のＵ字状に形成される。インナー２の下半部は、着用者のウエスト部分に圧接する。そして、凹部１０の周縁１０ａを除くインナー２の上縁全体を、キャミソール本体１の上縁１ａに沿って縫着することで、インナー２とキャミソール本体１とが一体化してあることを特徴とする。キャミソール本体１は、天然繊維と合成繊維のいずれで形成してあってもよく、２以上の繊維を用いて形成してあってもよい。
【０００７】
前身頃７の下端部に、メッシュ生地９が二重に積層された横長の二重領域１５が形成されており、二重領域１５は、前身頃７を腰周り方向へ横断し、その上縁は突曲状に形成されており、インナー２の二重領域１５を除く部分は、複数のメッシュ生地８・１２を左右に繋げて構成してある形態を採ることができる。
【考案の効果】
【０００８】
本考案に係るキャミソールにおいては、キャミソール本体１の内側に、体形補正機能を備えたインナー２が配置してある。そして、インナー２の前身頃７の上半部が、着用者の左右の乳房部が収まる凹部１０を有し、該乳房部を左右および下側の三方から囲む横長のＵ字状に形成されている。かかるキャミソールを着用すれば、乳房部の左右および下側を圧迫されることによる豊胸効果が得られる。また、インナー２の下半部によりウエスト部分が押さえ込み補正される。つまり、本考案に係るキャミソールによれば、上半身の体形を全体的に補正して、上半身のラインを美しく見せることができる。
【０００９】
更に本考案では、凹部１０の周縁１０ａを除くインナー２の上縁全体を、キャミソール本体１の上縁１ａに沿って縫着することで、インナー２とキャミソール本体１とが一体化してあるので、インナー２がキャミソール本体１に対してずれ動きにくく、快適な着用感が得られる。インナー２がキャミソール本体１からはみ出すこともない。
【００１０】
前身頃７の下端部に、メッシュ生地９が二重に積層された二重領域１５が形成してあると、特に気になる下腹部分を強力に押さえ込み補正して、より理想的な上半身のラインを得ることができる。また、インナー２の二重領域１５を除く部分が、複数のメッシュ生地８・１２を左右に繋げて構成してあると、横方向の伸縮率が縦方向のそれに比べて小さくなるので、強力に押さえ込み補正を行うことができる。
【考案を実施するための最良の形態】
【００１１】
図１から図４は、本考案に係るキャミソールの実施形態を示しており、キャミソール本体１と、キャミソール本体１の内側に縫い止められる体形補正用のインナー２とを備えている。キャミソール本体１は、前身頃と後身頃を縫合することにより一体化して成り、その上部左右には、長さを調整可能な一対の肩紐３・３が設けてある。図２において符号４は、後身頃の上縁よりも上方に突出した前身頃の突出部を示しており、この突出部４は、着用者の胸部上側とその上方とを覆う。突出部４の上部前面には、図１に示すように横長のレース生地５が縫着してある。
【００１２】
インナー２は、キャミソール本体１の素材生地に比べて低伸縮かつ高弾力のパワーネット（メッシュ生地）を縫着して繋ぎ合わせることにより筒状に形成してある。パワーネットは通風性に優れ、着用者の快適性の向上に寄与する。インナー２の丈は、キャミソール本体１のそれよりも短く形成してある。
【００１３】
図３に示すように、インナー２の前身頃７の上半部は、着用者の左右の乳房部が収まる凹部１０を有し、該乳房部を左右および下側の三方から囲む横長のＵ字状に形成される。凹部１０の周縁１０ａは、左下部および右下部が、着用者の乳房部に沿う凹曲状に形成されている。周縁１０ａに連続する前身頃７の左右上縁７ａ・７ａは、中央側から端部側にかけて凹曲状に下り傾斜して、後述する後身頃１１の上縁１１ａに連続している。前身頃７の下半部は略長方形状を呈し、着用者のウエスト部分に圧接する。
【００１４】
かかる前身頃７は、３枚のパワーネット８・８・８を縫合して左右に繋ぎ合わせ、その下縁側に、横長のパワーネット９を縫合して繋ぎ合わせることにより形成される。下側のパワーネット９は、下縁側を折り返し線として折り返された二重積層構造になっており、着用者の下腹部分の高さを左右に横断している。このパワーネット９の上縁は、緩やかな突曲状に形成されている。
【００１５】
インナー２の後身頃１１は、図４に示すように、上下に長い長方形状を呈している。この後身頃１１の上縁１１ａは略水平に形成され、凹部１０の周縁１０ａの下端よりも上方に位置している。かかる後身頃１１は、３枚の縦長のパワーネット１２・１２・１２を縫合して左右に繋ぎ合わせることにより形成される。
【００１６】
インナー２は、凹部１０の周縁１０ａを除くインナー２の上縁全体、つまり、前身頃７の左右上縁７ａ・７ａおよび後身頃１１の上縁１１ａを、キャミソール本体１の上縁１ａに沿って縫着することで、キャミソール本体１と一体化される。したがって、インナー２がキャミソール本体１に対してずれ動きにくく、快適な着用感が得られる。インナー２がキャミソール本体１からはみ出すこともない。
【００１７】
以上のように構成されたキャミソールを着用すれば、横長のＵ字状に形成されたインナー２の前身頃７の上半部が、乳房部の左右および下側に圧接するので、乳房部の周囲を圧迫されることによる豊胸効果が得られる。また、インナー２の下半部により、ウエスト部分が押さえ込み補正される。更に、前身頃７の下端部には、二重積層構造のパワーネット９からなる二重領域１５が形成してあるので、特に気になる下腹部分を強力に押さえ込み補正することができる。つまり、本実施形態に係るキャミソールによれば、上半身の体形を全体的に補正して、上半身のラインを美しく見せることができる。
【００１８】
その他、パワーネット８・９・１２を縫合する順序は任意に選択することができる。パワーネット８・９・１２の形状や枚数も、実施形態に示したものである必要はない。二重領域１５やレース生地５は省略することができる。
【図面の簡単な説明】
【００１９】
【図１】キャミソールの正面図である。
【図２】キャミソールの背面図である。
【図３】インナーの正面図である。
【図４】インナーの背面図である。
【符号の説明】
【００２０】
１  キャミソール本体
２  インナー
７  インナーの前身頃
８  メッシュ生地（パワーネット）
９  メッシュ生地（パワーネット）
１０  凹部
１１  インナーの後身頃
１２  メッシュ生地（パワーネット）
１５  二重領域
【図１】
0003143212.tif 000003
【図２】
0003143212.tif 000004
【図３】
0003143212.tif 000005
【図４】
0003143212.tif 000006